(57)【要約】      （修正有）【課題】インターホン装置で、当該居住区に他人が引っ越ししてきた場合、当該他人等の親機情報を容易に取得できるようにする。【解決手段】インターホン装置は、玄関子機１と、居室親機２と、インターネット４を経由して居室親機に接続されるサーバ３とから構成されている。居室親機には、自居室親機が設置される住所等の地域特定に使用可能な特定ＩＤが記憶され、その特定ＩＤを読出しインターネットを経由してサーバに送信する機能を備えている。サーバは、居室親機から伝送されてくる特定ＩＤを記憶し、特定ＩＤに関連付けられて地域近傍の居室親機を含む近隣親機情報を生成するためのサーバアプリケーション３２を有している。居室親機には、サーバからインターネットを経由して伝送されてくる近隣親機情報を検出し、検出された近隣親機情報を表示するための親機表示部２１とを備えている。【選択図】図１
2014045412.tif 000002
【特許請求の範囲】
【請求項１】
玄関子機（１）と、前記玄関子機からの呼出しに応答して通話を成立させるための居室親機（２）と、インターネット（４）を経由して前記居室親機に接続されるサーバ（３）とから構成されるインターホン装置であって、
前記居室親機は、自居室親機が設置される住所等の地域特定に使用可能な特定ＩＤが記憶され、前記特定ＩＤを読出し前記インターネットを経由して前記サーバに送信するための親機アプリケーション（２５）を有する親機ＣＰＵ（２４）を備え、
前記サーバは、前記居室親機から前記インターネットを経由して伝送されてくる前記特定ＩＤを記憶するためのサーバ記憶部（３３）と、前記サーバ記憶部に記憶された前記特定ＩＤに関連付けられて地域近傍の居室親機を含む近隣親機情報を生成するためのサーバアプリケーション（３２）を有するサーバＣＰＵ（３１）を備え、
前記居室親機の前記親機ＣＰＵは、前記サーバから前記インターネットを経由して伝送されてくる前記近隣親機情報を検出し、検出された前記近隣親機情報を親機表示部（２１）に表示する機能を備えることを特徴とするインターホン装置。
【請求項２】
前記居室親機の前記親機ＣＰＵは、操作部（２０）による操作を検出し、自居室親機に係る親機情報を生成する機能を備えることを特徴とする請求項１記載のインターホン装置。
【請求項３】
前記サーバの前記サーバＣＰＵは、前記居室親機から前記インターネットを経由して伝送されてくる前記特定ＩＤが新規の当該ＩＤであったとき、地域近傍の当該居室親機宛ての新着通知情報を生成し前記近隣親機情報として前記居室親機に送信する機能を備えることを特徴とする請求項１又は請求項２記載のインターホン装置。
【請求項４】
前記居室親機の前記親機ＣＰＵは、前記操作部による操作を検出し、前記サーバの前記サーバＣＰＵにて生成される前記親機ＩＤに関連付けられた前記近隣親機情報としての地域近傍の居室親機のうち、情報開示可否の対象となる任意の当該居室親機の設定を行う機能を備えることを特徴とする請求項１乃至請求項３のうち何れか１項記載のインターホン装置。
【請求項５】
前記居室親機の前記親機ＣＰＵは、前記操作部による操作を検出し、前記サーバの前記サーバＣＰＵにて生成される前記親機ＩＤに関連付けられた前記近隣親機情報としての地域近傍の居室親機のうち、呼出先及び通話先となる任意の当該居室親機の設定を行う機能を備えることを特徴とする請求項１乃至請求項４のうち何れか１項記載のインターホン装置。
【請求項６】
前記居室親機の前記親機ＣＰＵは、前記操作部による操作を検出し、前記サーバの前記サーバＣＰＵにて生成される前記親機ＩＤに関連付けられた前記近隣親機情報としての地域近傍の居室親機のうち、個別メッセージの送信先となる任意の当該居室親機の設定を行う機能を備えることを特徴とする請求項１乃至請求項５のうち何れか１項記載のインターホン装置。
【請求項７】
前記居室親機の前記親機ＣＰＵは、前記操作部による操作を検出し、前記サーバの前記サーバ記憶部に記憶された前記親機ＩＤに関連付けられた前記近隣親機情報としての地域近傍の居室親機が送信先となる回覧メッセージを作成する機能を備えることを特徴とする請求項１乃至請求項６のうち何れか１項記載のインターホン装置。
【発明の詳細な説明】
【技術分野】
【０００１】
本発明はインターホン装置に係り、特に、地域単位でコミュニケーションを図ることができるインターホン装置に関する。
【背景技術】
【０００２】
一般に、引越しに当たっては、引越し先の周りにどのような人が居住しているのか、あるいは引越し先の近隣の居住者においては転入者がどのような人なのか知りたいという欲求がある。
【０００３】
この場合、各住戸に設置されているインターホン装置を利用することで、近隣の情報を取得することも考えられるが、従来のインターホン装置（例えば特許文献１等）では、居室親機からの呼び出しは増設親機や携帯端末などに限定されるため、すなわち、従来のインターホン装置には、地域近傍の居室親機に係る近隣親機情報を取得する機能や自居室親機に係る親機情報を送信する機能がないため、上記の欲求を満足することができないとういう難点があった。
【先行技術文献】
【特許文献】
【０００４】
【特許文献１】特開２００７−９６７７０号公報
【発明の概要】
【発明が解決しようとする課題】
【０００５】
本発明は、上記難点を解決するためになされたものであって、例えば引越し先の住戸に設置されたインターホン装置で、インターネットを経由して接続されたサーバから引越し先の近隣の住戸に設置されたインターホン装置の情報を容易に取得することができるインターホン装置を提供することを目的としている。
【課題を解決するための手段】
【０００６】
本発明は、上述の難点を解消するためになされたもので、本発明の第１の態様であるインターホン装置は、玄関子機と、玄関子機からの呼出しに応答して通話を成立させるための居室親機と、インターネットを経由して居室親機に接続されるサーバとから構成されるインターホン装置であって、居室親機は、自居室親機が設置される住所等の地域特定に使用可能な特定ＩＤが記憶され、特定ＩＤを読出しインターネットを経由してサーバに送信するための親機アプリケーションを有する親機ＣＰＵを備え、サーバは、居室親機からインターネットを経由して伝送されてくる特定ＩＤを記憶するためのサーバ記憶部と、サーバ記憶部に記憶された特定ＩＤに関連付けられて地域近傍の居室親機を含む近隣親機情報を生成するためのサーバアプリケーションを有するサーバＣＰＵを備え、居室親機の親機ＣＰＵは、サーバからインターネットを経由して伝送されてくる近隣親機情報を検出し、検出された近隣親機情報を親機表示部に表示する機能を備えるものである。
【０００７】
本発明の第２の態様は、第１の態様であるインターホン装置において、居室親機の親機ＣＰＵは、操作部による操作を検出し、自居室親機に係る親機情報を生成する機能を備えるものである。
【０００８】
本発明の第３の態様は、第１の態様または第２の態様であるインターホン装置において、サーバのサーバＣＰＵは、居室親機からインターネットを経由して伝送されてくる特定ＩＤが新規の当該ＩＤであったとき、地域近傍の当該居室親機宛ての新着通知情報を生成し近隣親機情報として居室親機に送信する機能を備えるものである。
【０００９】
本発明の第４の態様は、第１の態様乃至第３の態様の何れかの態様であるインターホン装置において、居室親機の親機ＣＰＵは、操作部による操作を検出し、サーバのサーバＣＰＵにて生成される親機ＩＤに関連付けられた近隣親機情報としての地域近傍の居室親機のうち、情報開示可否の対象となる任意の当該居室親機の設定を行う機能を備えるものである。
【００１０】
本発明の第５の態様は、第１の態様乃至第４の態様の何れかの態様であるインターホン装置において、居室親機の親機ＣＰＵは、操作部による操作を検出し、サーバのサーバＣＰＵにて生成される親機ＩＤに関連付けられた近隣親機情報としての地域近傍の居室親機のうち、呼出先及び通話先となる任意の当該居室親機の設定を行う機能を備えるものである。
【００１１】
本発明の第６の態様は、第１の態様乃至第５の態様の何れかの態様であるインターホン装置において、居室親機の親機ＣＰＵは、操作部による操作を検出し、サーバのサーバＣＰＵにて生成される親機ＩＤに関連付けられた近隣親機情報としての地域近傍の居室親機のうち、個別メッセージの送信先となる任意の当該居室親機の設定を行う機能を備えるものである。
【００１２】
本発明の第７の態様は、第１の態様乃至第６の態様の何れかの態様であるインターホン装置において、居室親機の親機ＣＰＵは、操作部による操作を検出し、サーバのサーバ記憶部に記憶された親機ＩＤに関連付けられた近隣親機情報としての地域近傍の居室親機が送信先となる回覧メッセージを作成する機能を備えるものである。
【発明の効果】
【００１３】
本発明の第１の態様乃至第７の態様のインターホン装置によれば、次のような効果がある。
【００１４】
第１に、居室親機で自居室親機が設置される住所等の地域特定に使用可能な特定ＩＤをインターネットを経由してサーバに送信することで、サーバから近隣の居住者に係る居室親機の情報を取得することができる。従って、第１の態様の発明によれば、引越し先の周りにどのような人が居住しているのか容易に知ることができる。
【００１５】
第２に、居室親機で自居室親機に係る親機情報を生成することができ、当該親機情報をインターネットおよびサーバを経由して近隣の居住者に係る居室親機に送信することができる。従って、第２の態様の発明によれば、引越し先の近隣の居住者においては転入者がどのような人なのか容易に知ることができる。
【００１６】
第３に、サーバから地域近傍の当該居室親機宛ての新着通知情報が伝送されるので、近くに誰が引っ越してきたかを知ることができる
第４に、居室親機で近隣の居住者に係る居室親機への情報開示可否を設定することができるので、プライベートを守ることができる。
【００１７】
第５に、特定の居室親機に対して情報開示可否を設定することができるので、プライベートの情報開示範囲を限定することができる。
【００１８】
第６に、居室親機でサーバから取得して表示された特定の居室親機に対して、呼出・通話を行うことができる。
【００１９】
第７に、居室親機でサーバから取得して表示された特定の居室親機に対して、メッセージを送信することができる。
【００２０】
第８に、居室親機でサーバから取得して表示された居室親機に対して、回覧メッセージを送信することができる。
【図面の簡単な説明】
【００２１】
【図１】本発明の一実施例におけるインターホン装置のブロック図。
【図２】本発明における親機表示部に表示される情報開示設定画面図で、分図（Ａ）は第１の居室親機（転入者居室親機）の情報開示設定画面図、分図（Ｂ）は第２の居室親機（第１の近隣居室親機）の情報開示設定画面図、分図（Ｃ）は第３の居室親機（第２の近隣居室親機）の情報開示設定画面図、分図（Ｄ）は第４の居室親機（第３の近隣居室親機）の情報開示設定画面図。
【図３】本発明における親機表示部に表示される情報一覧画面図で、分図（Ａ）は第１の居室親機（転入者居室親機）の情報一覧画面図、分図（Ｂ）は第２の居室親機（第１の近隣居室親機）の情報一覧画面図、分図（Ｃ）は第３の居室親機（第２の近隣居室親機）の情報一覧画面図、分図（Ｄ）は第４の居室親機（第３の近隣居室親機）の情報一覧画面図。
【図４】本発明における親機表示部に表示される情報開示設定等の画面図で、分図（Ａ）は第１の居室親機（転入者居室親機）の情報開示設定画面図、分図（Ｂ）、（Ｃ）は第１の居室親機（転入者居室親機）の情報一覧画面図、分図（Ｄ）、（Ｅ）は第１の居室親機（転入者居室親機）の操作選択画面図、分図（Ｆ）は第２の居室親機（第１の近隣居室親機）の情報一覧画面図、分図（Ｇ）は第３の居室親機（第２の近隣居室親機）の情報一覧画面図、分図（Ｈ）は第４の居室親機（第３の近隣居室親機）の情報一覧画面図。
【図５】本発明における親機表示部に表示される情報一覧等の画面図で、分図（Ａ）、（Ｂ）は第１の居室親機（転入者居室親機）の情報一覧画面図、分図（Ｃ）、（Ｄ）は第１の居室親機（転入者居室親機）の操作選択画面図。
【図６】本発明における親機表示部に表示される情報一覧等の画面図で、分図（Ａ）、（Ｂ）は第１の居室親機（転入者居室親機）の情報一覧画面図、分図（Ｃ）、（Ｄ）は第１の居室親機（転入者居室親機）の操作選択画面図、分図（Ｅ）は第１の居室親機（転入者居室親機）からのメッセージ通知画面図。
【図７】本発明における親機表示部に表示される操作選択画面図で、分図（Ａ）は第１の居室親機（転入者居室親機）の回覧メッセージの作成画面図、分図（Ｂ）は第１の居室親機（転入者居室親機）の送信選択画面図、分図（Ｃ）は第１の居室親機（転入者居室親機）からのメッセージ通知画面図。
【発明を実施するための形態】
【００２２】
以下、本発明のインターホン装置を適用した最良の実施の形態例について、図面を参照して説明する。
【００２３】
図１は、本発明の一実施例におけるインターホン装置のブロック図を示している。
【００２４】
同図において、本発明の一実施例におけるインターホン装置は、住戸外（屋外）の例えば住戸玄関にそれぞれ設置される第１〜第４の玄関子機１ａ、１ｂ、１ｃ、１ｄと、各住戸内にそれぞれ設置される第１〜第４の居室親機２ａ、２ｂ、２ｃ、２ｄと、インターホン製造・販売会社やサービス提供会社内等に設置されるサーバ３とを備えており、第１〜第４の玄関子機１ａ、１ｂ、１ｃ、１ｄはそれぞれ第１の伝送路Ｌ１を経由してそれぞれ対応する第１〜第４の居室親機２ａ、２ｂ、２ｃ、２ｄに接続され、第１〜第４の居室親機２ａ、２ｂ、２ｃ、２ｄにはＬＡＮケーブル等からなる第２の伝送路Ｌ２、インターネット４および無線若しくは有線の第３の伝送路Ｌ３を経由してサーバ３が接続されている。
【００２５】
第１〜第４の玄関子機１ａ、１ｂ、１ｃ、１ｄは、それぞれ同様の構成とされ、それぞれ呼出ボタンなどからなる子機操作部１０、子機マイク１１ａ及び子機スピーカ１１ｂからなる子機通話部１１、子機ＣＰＵ１２および子機Ｉ／Ｆ（インターフェース）１３を備えている。
【００２６】
これらの第１〜第４の玄関子機１ａ、１ｂ、１ｃ、１ｄにおいて、子機操作部１０は、住戸玄関に居る来訪者が住戸内に在室中の居住者を呼出すために操作するものである。また、子機通話部１１を構成する子機マイク１１ａ及び子機スピーカ１１ｂは、来訪者が居住者との間で通話を成立させるための音声（送話音声、受話音声）信号を送受信するものである。
【００２７】
さらに、子機ＣＰＵ１２は、玄関子機１の構成各部を制御するためのものである。
【００２８】
また、子機Ｉ／Ｆ１３は、子機ＣＰＵ１２と第１の伝送路Ｌ１間の信号伝送路を形成するためのものである。
【００２９】
一方、第１〜第４の居室親機２ａ、２ｂ、２ｃ、２ｄは、それぞれ同様の構成とされ、それぞれ親機操作部２０、親機表示部２１、親機マイク２２ａ及び親機スピーカ２２ｂからなる親機通話部２２、親機Ｉ／Ｆ２３、親機ＣＰＵ２４および親機アプリケーション２５を備えている。
【００３０】
これらの第１〜第４の居室親機２ａ、２ｂ、２ｃ、２ｄにおいて、親機操作部２０は、来訪者からの呼出しに居住者が応答して通話を開始するための応答操作や当該通話を終了するための終話操作を行うものであり、例えば、通話ボタン（不図示）や親機表示部２１の画面上に設けられるタッチパネルにて構成されている。また、親機表示部２１は、玄関子機１のカメラ（不図示）にて生成される映像信号を出画したり、後述する情報開示設定画面などを表示するためのものであり、例えば、ＬＣＤ、有機ＥＬディスプレイ等の各種表示・出画媒体にて構成され、当該親機表示部２１は、通常、来訪者による呼出しを報知するための呼出報知機能も有している。
【００３１】
さらに、親機通話部を構成する親機マイク２２ａ及び親機スピーカ２２ｂは、居住者が来訪者若しくは他の居住者との間で通話を成立させるための音声（送話音声、受話音声）信号を送受信するものである。なお、親機スピーカ２２ｂは、通常、来訪者他の居住者による呼出しを報知するための呼出報知機能も有している。
【００３２】
また、親機Ｉ／Ｆ２３は、親機ＣＰＵ２４と第１、第２の伝送路Ｌ１、Ｌ２間の信号伝送路を形成するためのものである。
【００３３】
さらに、親機ＣＰＵ２４は、居室親機２の構成各部を制御するためのものである。
【００３４】
また、親機アプリケーション２５は、親機ＣＰＵ２４およびサーバ３へ住所等の地域特定に使用するＩＤを送信ためのものである。
【００３５】
次に、サーバ３は、サーバＩ／Ｆ３０、サーバＣＰＵ３１、サーバアプリケーション３２およびサーバ記憶部３３を備えている。
【００３６】
このサーバ３において、サーバＩ／Ｆ３０はサーバＣＰＵ３１と第３の伝送路Ｌ３間の信号伝送路を形成するためのものである。
【００３７】
また、サーバＣＰＵ３１はサーバ３の構成各部を制御するためのものである。
【００３８】
さらに、サーバアプリケーション３２は第１〜第４の居室親機２ａ、２ｂ、２ｃ、２ｄとのメッセージの送受信を行うためのものである。
【００３９】
また、サーバ記憶部３３は第１〜第４の居室親機２ａ、２ｂ、２ｃ、２ｄから送信される特定ＩＤを保存するためのものである。
【００４０】
次に、このように構成された本発明の一実施例におけるインターホン装置の具体的な動作について説明する。なお、以下の実施例においては、説明を容易にするため、第１〜第４の居室親機２ａ、２ｂ、２ｃ、２ｄのうち、第１の居室親機２ａは転入者の住戸に設置（以下、第１の居室親機２ａを「転入者居室親機２ａ」という。）されているものとして、第１、第２、第３の居室親機２ｂ、２ｃ、２ｄは転入者の住戸の近隣の住戸にそれぞれ設置（以下、第２の居室親機２ｂを「第１の近隣居室親機２ｂ」、第３の居室親機２ｃを「第２の近隣居室親機２ｃ」、第４の居室親機２ｄを「第３の近隣居室親機２ｄ」という。）されているものとして説明する。また、転入者居室親機２ａの親機操作部２０、親機表示部２１、親機通話部２２、親機Ｉ／Ｆ２３、親機ＣＰＵ２４および親機アプリケーション２５を、それぞれ、「転入者親機操作部２０」、「転入者親機表示部２１」、「転入者親機通話部２２」、「転入者親機Ｉ／Ｆ２３」、「転入者親機ＣＰＵ２４」および「転入者親機アプリケーション２５」として説明する。さらに、第１、第２、第３の近隣居室親機２ｂ、２ｃ、２ｄの各親機操作部２０、各親機表示部２１、各親機通話部２２、各親機Ｉ／Ｆ２３、各親機ＣＰＵ２４および各親機アプリケーション２５を、それぞれ「第１、第２、第３の近隣者親機操作部２０」、「第１、第２、第３の近隣者親機表示部２１」、「第１、第２、第３の近隣者親機通話部２２」、「第１、第２、第３の近隣者親機Ｉ／Ｆ２３」、「第１、第２、第３の近隣者親機ＣＰＵ２４」および「第１、第２、第３の近隣者親機アプリケーション２５」として説明する。
［第１の実施例］
先ず、転入者が自居室親機である転入者居室親機２ａに電源を投入すると、当該転入者居室親機２ａの転入者親機アプリケーション２５に記憶されている住所等の地域特定に使用可能な特定ＩＤ（以下「転入者特定ＩＤ」という。）が読み出され、当該転入者特定ＩＤが自居室親機である転入者居室親機２ａのＩＤ（以下「転入者自端末ＩＤ」という。）と共に転入者親機ＣＰＵ２４、転入者親機Ｉ／Ｆ２３、第２の伝送路Ｌ２、インターネト４、第３の伝送路Ｌ３、サーバＩ／Ｆ３０およびサーバＣＰＵ３１の経路（以下、転入者親機Ｉ／Ｆ２３、第２の伝送路Ｌ２、インターネト４、第３の伝送路Ｌ３およびサーバＩ／Ｆ３０に至る経路を「第１の経路」という。）を経由してサーバアプリケーション３２に送信される。
【００４１】
ここで、この実施例における「特定ＩＤ」としては、具体的には住所が考えられる。当該住所の取得方法としては、自居室親機（例えば転入者居室親機２ａ）の親機操作部２０から入力する方法や第１〜第４の居室親機２ａ〜２ｄのＧＰＳ（Global Positioning System）より取得する方法などを挙げることができる。
【００４２】
また、特定ＩＤと自端末ＩＤの関連性については、自端末ＩＤに割り付けられた居住区の市町村等が一致したら関連ありとみなすという方法が考えられる。
【００４３】
かかる転入者特定ＩＤおよび転入者自端末ＩＤがサーバＣＰＵ３１で検出されると、当該サーバＣＰＵ３１の制御により、転入者特定ＩＤおよび転入者自端末ＩＤがサーバ記憶部３３に記憶される。
【００４４】
なお、第１、第２、第３の近隣居室親機２ｂ、２ｃ、２ｄのそれぞれの特定ＩＤおよび自端末ＩＤも、前述の転入者特定ＩＤおよび転入者自端末ＩＤと同様に、サーバ記憶部３３に記憶されている。
【００４５】
次に、このように転入者特定ＩＤおよび転入者自端末ＩＤがサーバ記憶部３３に記憶された転入者居室親機２ａにおいて、転入者が転入者親機操作部２０を操作すると、転入者親機ＣＰＵ２４の制御により転入者親機表示部２１に図２（Ａ）に示すように情報開示設定画面が表示される。
【００４６】
ここで、この情報開示設定画面において、転入者が「ユーザ名」の欄に所定事項、例えば転入者の所帯名などを記入し、さらに「コメント」の欄に所定事項、例えば転入者の家族構成、名前、住所、プロフィールなどの全部または一部を入力して「保存」を選択すると、転入者の自居室親機に係る親機情報（以下「転入者親機情報」という。）として転入者親機アプリケーション２５に記憶される。
【００４７】
なお、第１、第２、第３の近隣居室親機２ｂ、２ｃ、２ｄのそれぞれのユーザ名の欄およびコメントの欄にも所定事項が入力され、それぞれ第１、第２、第３の近隣居室親機２ｂ、２ｃ、２ｄの自居室親機に係る親機情報として、前述の転入者親機情報と同様に、第１、第２、第３の近隣居室親機２ｂ、２ｃ、２ｄの親機アプリケーション２５にそれぞれ記憶されている。
【００４８】
次いで、転入者が「許可」を選択すると、転入者親機ＣＰＵ２４の制御により転入者親機アプリケーション２５から転入者親機情報が読み出され、当該転入者親機情報が転入者特定ＩＤと共に転入者親機ＣＰＵ２４、第１の経路およびサーバＣＰＵ３１を経由してサーバアプリケーション３２に送信される。
【００４９】
かかる転入者親機情報および転入者特定ＩＤがサーバＣＰＵ３１で検出されると、サーバＣＰＵ３１の制御により転入者親機情報が転入者特定ＩＤと関連付けられてサーバ記憶部３３に記憶される。
【００５０】
なお、第１の近隣居室親機２ｂの自居室親機に係る親機情報（以下、「第１の近隣親機情報」という。）も第１の近隣居室親機２ｂの特定ＩＤ（以下、「第１の近隣特定ＩＤ」という。）と共に、第１の近隣親機ＣＰＵ２４、第１の近隣親機Ｉ／Ｆ２３、第１の近隣居室親機２ｂに対応する第２の伝送路Ｌ２、インターネト４、第３の伝送路Ｌ３、サーバＩ／Ｆ３０およびサーバＣＰＵ３１の経路（以下、第１の近隣親機Ｉ／Ｆ２３、第１の近隣居室親機２ｂに対応する第２の伝送路Ｌ２、インターネト４、第３の伝送路Ｌ３およびサーバＩ／Ｆ３０に至る経路を「第２の経路」という。）およびサーバＣＰＵ３１を経由してサーバアプリケーション３２に送信され、前述の転入者親機情報と同様に、第１の近隣親機情報が第１の近隣特定ＩＤと関連付けられて保存されている。同様に、第２の近隣居室親機２ｃの自居室親機に係る親機情報（以下、「第２の近隣親機情報」という。）も第２の近隣居室親機２ｃの特定ＩＤ（以下、「第２の近隣特定ＩＤ」という。）と共に、第２の近隣親機ＣＰＵ２４、第２の近隣親機Ｉ／Ｆ２３、第２の近隣居室親機２ｂに対応する第２の伝送路Ｌ２、インターネト４、第３の伝送路Ｌ３、サーバＩ／Ｆ３０およびサーバＣＰＵ３１の経路（以下、第２の近隣親機Ｉ／Ｆ２３、第２の近隣居室親機２ｂに対応する第２の伝送路Ｌ２、インターネト４、第３の伝送路Ｌ３およびサーバＩ／Ｆ３０に至る経路を「第３の経路」という。）およびサーバＣＰＵ３１を経由してサーバアプリケーション３２に送信され、前述の転入者親機情報と同様に、第２の近隣親機情報が第２の近隣特定ＩＤと関連付けられて保存されている。同様に、第３の近隣居室親機２ｄの自居室親機に係る親機情報（以下、「第３の近隣親機情報」という。）も第３の近隣居室親機２ｄの特定ＩＤ（以下、「第３の近隣特定ＩＤ」という。）と共に、第３の近隣親機ＣＰＵ２４、第３の近隣親機Ｉ／Ｆ２３、第３の近隣居室親機２ｄに対応する第２の伝送路Ｌ２、インターネト４、第３の伝送路Ｌ３、サーバＩ／Ｆ３０およびサーバＣＰＵ３１の経路（以下、第３の近隣親機Ｉ／Ｆ２３、第３の近隣居室親機２ｄに対応する第２の伝送路Ｌ２、インターネト４、第３の伝送路Ｌ３およびサーバＩ／Ｆ３０に至る経路を「第４の経路」という。）およびサーバＣＰＵ３１を経由してサーバアプリケーション３２に送信され、前述の転入者親機情報と同様に、第３の近隣親機情報が第３の近隣特定ＩＤと関連付けられて保存されている。
【００５１】
次に、転入者親機情報および転入者特定ＩＤがサーバ記憶部３３に記憶されると、サーバアプリケーション３２により、サーバ記憶部３３に記憶された転入者特定ＩＤに関連付けられて地域近傍の居室親機（第１、第２、第３の近隣居室親機２ｂ、２ｃ、２ｄ）を含む近隣親機情報が生成される。
【００５２】
なお、第１、第２、第３の近隣親機情報および第１、第２、第３の特定ＩＤがサーバ記憶部３３に記憶されると、転入者居室親機２ａに対する近隣親機情報と同様に、サーバアプリケーション３２により、サーバ記憶部３３に記憶された第１、第２、第３の特定ＩＤに関連付けられて地域近傍の居室親機を含む近隣親機情報が生成される。
【００５３】
このようにして生成された転入者居室親機２ａに対する近隣親機情報は、サーバ３から第１の経路と逆の経路を経由して転入者親機ＣＰＵ２４へ伝送され、かかる転入者居室親機２ａに対する近隣親機情報が転入者親機ＣＰＵ２４で検出されると、当該転入者親機ＣＰＵ２４の制御により、転入者親機表示部２１に図３（Ａ）に示すように第１、第２、第３の近隣居室親機２ｂ、２ｃ、２ｄに係る近隣親機情報が表示される。
【００５４】
以上のように、第１の実施例においては、転入者居室親機２ａの転入者親機ＣＰＵ２４により、転入者による親機操作部２０による操作を検出し、自居室親機（転入者居室親機２ａ）に係る親機情報（転入者親機情報）を生成することができる。また、第１の居室親機（転入者居室親機１ａ）で自居室親機が設置される住所等の地域特定に使用可能な特定ＩＤ（転入者特定ＩＤ）をインターネット４を経由してサーバ３に送信することで、サーバ３から地域近傍の居室親機（第１、第２、第３の近隣居室親機２ｂ、２ｃ、２ｄ）を含む近隣親機情報を取得することができる。従って、本発明によれば、例えば、転入者が引っ越し先において、近隣にどのような人が居住しているか等の情報を容易に取得することができる。
［第２の実施例］
前述の実施例においては、サーバＣＰＵ３１が、転入者居室親機２ａからインターネットを経由して伝送されてくる転入者特定ＩＤを新規の当該ＩＤであると認識した場合は、サーバＣＰＵ３１の制御により、地域近傍の居室親機（第１、第２、第３の近隣居室親機２ｂ、２ｃ、２ｄ）宛ての新着通知情報が生成されて近隣親機情報（転入者親機情報）として近隣の居室親機（第１、第２、第３の近隣居室親機２ｂ、２ｃ、２ｄ）に送信することができる。
【００５５】
なお、第１の近隣居室親機２ｂに対する近隣親機情報は、サーバ３から第２の経路と逆の経路を経由して第１の近隣居室親機２ｂの親機ＣＰＵ２４へ伝送され、かかる第１の近隣居室親機２ｂに対する近隣親機情報が第１の近隣居室親機２ｂの親機ＣＰＵ２４で検出されると、当該親機ＣＰＵ２４の制御により、第１の近隣居室親機２ｂの親機表示部２１に図３（Ｂ）に示すように転入者親機情報、第２、第３の近隣親機情報が表示される。また、第２の近隣居室親機２ｃに対する近隣親機情報は、サーバ３から第３の経路と逆の経路を経由して第２の近隣居室親機２ｃの親機ＣＰＵ２４へ伝送され、かかる第２の近隣居室親機２ｃに対する近隣親機情報が第２の近隣居室親機２ｃの親機ＣＰＵ２４で検出されると、当該親機ＣＰＵ２４の制御により、第２の近隣居室親機２ｃの親機表示部２１に図３（Ｃ）に示すように転入者親機情報、第１、第３の近隣親機情報が表示される。さらに、第３の近隣居室親機２ｄに対する近隣親機情報は、サーバ３から第４の経路と逆の経路を経由して第３の近隣居室親機２ｄの親機ＣＰＵ２４へ伝送され、かかる第３の近隣居室親機２ｄに対する近隣親機情報が第３の近隣居室親機２ｄの親機ＣＰＵ２４で検出されると、当該親機ＣＰＵ２４の制御により、第３の近隣居室親機２ｄの親機表示部２１に図３（Ｄ）に示すように転入者親機情報、第１、第２の近隣親機情報が表示される。
【００５６】
第２の実施例においては、居室親機（第１、第２、第３の近隣居室親機２ｂ、２ｃ、２ｄ）で、サーバ３から地域的に近傍となる居室親機（転入者居室親機２ａ）が新規登録された旨の通知を受けることができるので、近くに誰が引っ越してきたかを容易に知ることができる。
［第３の実施例］
図４は、転入者居室親機２ａにおいて、転入者親機情報を変更する場合の説明図を示している。
【００５７】
図４（Ａ）において、転入者が情報開示設定画面において、図２（Ａ）に示すコメント「○○○・・・」の内容を図４（Ａ）に示すように「○△□・・・」に変更して「保存」・「許可」を選択すると、転入者親機表示部２１の表示画面が図４（Ｂ）に示すよう切り替わり、そして、転入者が図４（Ｃ）に示すように第２の近隣居室親機２ｃに係るユーザ名（「ＣＣＣ」）を選択し、図４（Ｄ）に示すように「拒否」を選択し、図４（Ｅ）に示すように「決定」を選択すると、第２の近隣居室親機２ｃ（ユーザ名「ＣＣＣ」）に対する情報開示拒否の情報が転入者特定ＩＤと共に転入者親機ＣＰＵ２４、第１の経路およびサーバＣＰＵ３１を経由してサーバアプリケーション３２に送信される。
【００５８】
かかる情報開示拒否の情報および転入者特定ＩＤがサーバＣＰＵ３１ｄで検出されると、サーバＣＰＵ３１の制御により情報開示拒否の情報が転入者特定ＩＤと関連付けられて保存される。
【００５９】
ここで、サーバ３のサーバＣＰＵ３１は、転入者居室親機２ａからインターネットを経由して伝送されてくる情報が第２の近隣居室親機２ｃに対する情報開示拒否の情報であると認識することで、第１、第３の近隣居室親機２ｂ、２ｄに対しては転入者居室親機２ａで設定変更された転入者親機情報が送信されるものの、第２の近隣居室親機２ｃに対しては転入者居室親機２ａで設定変更された転入者親機情報が送信されないこととなる。
【００６０】
これにより、図４（Ｆ）、（Ｈ）に示すように第１、第３の近隣居室親機２ｂ、２ｄの情報一覧画面のユーザ名「ＡＡＡ」のコメント欄には設定変更された「○△□」のコメントが表示され、第２の近隣居室親機２ｃの情報一覧画面のユーザ名「ＡＡＡ」のコメント欄には設定変更前の「○○○」のコメントが表示されたままとなる。
【００６１】
第３の実施例においては、特定の居室親機（例えば第２の近隣居室親機２ｃ）に対して、設定変更されたコメントについては情報開示を拒否することができるので、プライベートの情報開示範囲を限定することができる。
［第４の実施例］
図５は、呼出・通話をする場合の説明図を示している。
【００６２】
同図において、転入者が転入者親機操作部２０を操作すると、転入者親機ＣＰＵ２４の制御により転入者親機表示部２１に図５（Ａ）に示すように情報一覧画面が表示される。
【００６３】
ここで、転入者が図５（Ｂ）に示すように第１の近隣居室親機２ｂに係るユーザ名（「ＢＢＢ」）を選択し、図５（Ｃ）に示すように「呼出」を選択し、図５（Ｄ）に示すように「決定」を選択すると、第１の近隣居室親機２ｂ（ユーザ名「ＢＢＢ」）に対する呼出情報が転入者特定ＩＤと共に転入者親機ＣＰＵ２４、第１の経路およびサーバＣＰＵ３１を経由してサーバアプリケーション３２に送信される。
【００６４】
かかる呼出情報および転入者特定ＩＤがサーバＣＰＵ３１ｄで検出されると、サーバＣＰＵ３１の制御により当該呼出情報が転入者特定ＩＤと関連付けられて保存される。
【００６５】
ここで、サーバ３のサーバＣＰＵ３１は、転入者居室親機２ａからインターネットを経由して伝送されてくる情報が呼出情報であると認識することで、第１の近隣居室親機２ｂに対して転入者居室親機２ａで生成された呼出情報がサーバ３から第２の経路と逆の経路を経由して第１の近隣親機ＣＰＵ２４へ伝送され、かかる呼出情報が第１の近隣親機ＣＰＵ２４で検出されると、当該第１の近隣親機ＣＰＵ２４の制御により、第１の近隣親機表示部２１に転入者からの呼出情報が表示される。
【００６６】
かかる呼出情報が第１の近隣居室親機２ｂで検出されると、第１の近隣居室親機２ｂの親機スピーカ２２ｂから呼出音が放音され、ここで、来訪者からの呼び出しを確認した第１の近隣居室親機２ｂに係る居住者がハンドセット（不図示）などを取上げて応答操作を行なうと、転入者居室親機２ａ、第１の経路、サーバ３および第２の経路を介して転入者親機通話部２２と第１の近隣居室親機２ｂの親機通話部２２との間に通話路が形成され、転入者と第１の近隣居室親機２ｂに係る居住者との間で通話をすることができる。
【００６７】
第４の実施例においては、転入者居室親機１ａで、サーバ３から取得して表示された特定の居室親機（例えば第１の近隣居室親機２ｂ）に対して、呼出・通話を行うことができる。
［第５の実施例］
図６は、個別メッセージを送信する場合の説明図を示している。
【００６８】
同図において、転入者が転入者親機操作部２０を操作すると、転入者親機ＣＰＵ２４の制御により転入者親機表示部２１に図６（Ａ）に示すように情報一覧画面が表示される。
【００６９】
ここで、転入者が図６（Ａ）に示す情報一覧画面において、図６（Ｂ）に示すように第３の近隣居室親機２ｄに係るユーザ名（ＤＤＤ）を選択し、図６（Ｃ）に示すように「メッセージの作成」の欄に所定のメッセージを記入し、図６（Ｄ）に示すように「送信」を選択すると、第３の近隣居室親機２ｄ（ユーザ名「ＤＤＤ」）に対するメッセージが転入者特定ＩＤと共に転入者親機ＣＰＵ２４、第１の経路およびサーバＣＰＵ３１を経由してサーバアプリケーション３２に送信される。
【００７０】
かかるメッセージおよび転入者特定ＩＤがサーバＣＰＵ３１ｄで検出されると、サーバＣＰＵ３１の制御により当該メッセージが転入者特定ＩＤと関連付けられて保存される。
【００７１】
ここで、サーバ３のサーバＣＰＵ３１は、転入者居室親機２ａからインターネットを経由して伝送されてくる情報が第３の近隣居室親機２ｄに対するメッセージであると認識することで、第３の近隣居室親機２ｄに対して転入者居室親機２ａで生成されたメッセージがサーバ３から第４の経路と逆の経路を経由して第３の近隣親機ＣＰＵ２４へ伝送され、かかるメッセージが第３の近隣親機ＣＰＵ２４で検出されると、当該第３の近隣親機ＣＰＵ２４の制御により、図６（Ｅ）に示すように第３の近隣親機表示部２１に転入者からのメッセージが表示される。
【００７２】
第５の実施例においては、転入者居室親機２ａからのメッセージをサーバ３を介して特定の居室親機（第３の近隣居室親機２ｄ）に対してメッセージを送信することができる。
［第６の実施例］
図７は、回覧メッセージを作成する場合の説明図を示している。
【００７３】
同図において、転入者が転入者親機操作部２０を操作すると、転入者親機ＣＰＵ２４の制御により転入者親機表示部２１に図７（Ａ）に示すように操作選択画面が表示される。
【００７４】
ここで、転入者が図７（Ａ）に示す「回覧メッセージの作成」の欄に所定事項を記入し、図７（Ｂ）に示すように所定の回覧メッセージを作成して、「送信」を選択すると、回覧メッセージが転入者特定ＩＤと共に転入者親機ＣＰＵ２４、第１の経路およびサーバＣＰＵ３１を経由してサーバアプリケーション３２に送信される。
【００７５】
かかる回覧メッセージおよび転入者特定ＩＤがサーバＣＰＵ３１ｄで検出されると、サーバＣＰＵ３１の制御により回覧メッセージが転入者特定ＩＤと関連付けられて保存される。
【００７６】
ここで、サーバ３のサーバＣＰＵ３１は、転入者居室親機２ａからインターネットを経由して伝送されてくる情報が回覧メッセージであると認識することで、第１、第２、第３の近隣居室親機２ｂ、２ｃ、２ｄに対して転入者居室親機２ａで生成された回覧メッセージがサーバ３からそれぞれ第２、第３、第４の経路と逆の経路を経由して第１、第２、第３の近隣親機ＣＰＵ２４へ伝送され、かかる回覧メッセージがそれぞれ第１、第２、第３の近隣親機ＣＰＵ２４で検出されると、当該第１、第２、第３の近隣親機ＣＰＵ２４の制御により、図７（Ｃ）に示すように第１、第２、第３の近隣親機表示部２１に転入者からの回覧メッセージが表示される。
【００７７】
第６の実施例においては、居室親機（転入者居室親機２ａ）で、サーバ３から取得して表示された居室親機（第１、第２、第３の近隣居室親機２ｂ、２ｃ、２ｄ）に対して、回覧メッセージを送信することができる。
【００７８】
なお、以上の本発明のインターホン装置においては、特定の実施の形態をもって説明してきたが、この形態に限定されるものでなく、本発明の効果を奏する限り、これまで知られた如何なる構成のインターホン装置であっても採用できるということはいうまでもないことである。
【００７９】
例えば、前述の実施例では、居室親機２ａが転入者の住戸に設置されているものとして説明しているが、当該居室親機２ａは転居予定者の住戸に設置されているものとしてもよい。この場合は、当該インターホン装置を利用することで、転居予定者は今まで世話になった近隣の住戸に対して引越しの挨拶などをすることができる。
【００８０】
また、居室親機２ａは既居住者の住戸に設置されているものとしてもよい。この場合は、当該居室親機２ａにおいて、親機情報などの設定を変更することができる。
【００８１】
さらに、前述の実施例では４台の居室親機２ａ、２ｂ、２ｃ、２ｄを設置した場合について説明しているが、居室親機の台数はこれに限定されない。
【符号の説明】
【００８２】
１ａ、１ｂ、１ｃ、１ｄ・・・玄関子機
１０・・・子機操作部
１１・・・子機通話部
１１ａ・・・子機マイク
１１ｂ・・・子機スピーカ
１２・・・子機ＣＰＵ
１３・・・子機Ｉ／Ｆ
２ａ、２ｂ、２ｃ、２ｄ・・・居室親機
２０・・・親機操作部
２１・・・親機通話部
２１ａ・・・親機マイク
２１ｂ・・・親機スピーカ
２３・・・親機Ｉ／Ｆ
２４・・・親機ＣＰＵ
２５・・・親機アプリケーション
３・・・サーバ
３０・・・サーバＩ／Ｆ
３１・・・サーバＣＰＵ
３２・・・サーバアプリケーション
３３・・・サーバ記憶部
【図１】
2014045412.tif 000003
【図２】
2014045412.tif 000004
【図３】
2014045412.tif 000005
【図４】
2014045412.tif 000006
【図５】
2014045412.tif 000007
【図６】
2014045412.tif 000008
【図７】
2014045412.tif 000009